(57)【要約】【課題】  表示部材が容易に交換可能で、様々なデザインの表示部材の展示に対応可能な自動販売機等に使用する表示部材保持具の提供。【解決手段】合成樹脂製の柱状をした本体部１１を有し、該本体部１１の底部に磁石１２が固定されているとともに、該本体部の頂面から底部側に向けてシート状をした前記表示部材が差し込み可能なスリット１３を備え、該スリット内の対向面に、前記スリット内にシート状の前記表示部材を挿入することによって、該表示部材を弾性的に挟持する挟持部１５を備える。【選択図】  図１
0003162084.tif 000002
【実用新案登録請求の範囲】
【請求項１】
合成樹脂製の柱状をした本体部を有し、該本体部の底部に磁石が固定されているとともに、該本体部の頂面から底部側に向けてシート状をした前記表示部材が差し込み可能なスリットを備え、該スリット内の対向面に、前記スリット内にシート状の前記表示部材を挿入することによって、該表示部材を弾性的に挟持する挟持部を備えたことを特徴としてなる表示部材保持具。
【請求項２】
前記差込用スリットは、前記柱状本体上方に開口した二つのスリットが中心で直交する十字型に形成された請求項１に記載の表示部材保持具。
【請求項３】
前記挟持部は、前記差込用スリット内の互いに対向する面に互い違いの配置に前記本体部の柱状の軸方向に向けた複数の突条により構成され、該スリット内に前記表示部材を鎖し込むことによって、該表示部材が前記凸条によって弾性的に湾曲されて保持されるようにしてなる請求項１又は２に記載の表示部材保持具。
【考案の詳細な説明】
【技術分野】
【０００１】
本考案は、例えば、自動販売機の商品見本展示窓内において商品見本毎の特性の表示や、特定の商品見本の装飾などのために設置する表示部材を保持させるための表示部材保持具に関する。
【背景技術】
【０００２】
一般的に、タバコや缶、ペットボトルなどに入った各種の飲料等を販売する自動販売機では、テレビコマーシャル等の広告によるイメージに伴って、販売商品に関するイメージキャラクターや商品名等の広告を表示することにより売り上げが向上することが知られている。
【０００３】
また、商品表示や広告表示を目立つものとすることにより、通行人に対してより強い宣伝効果を発揮するとともに、他商品との差別化を図ることも可能であり、購買者は目立つ商品を選択する傾向があることから、販売促進効果も得られる。
【０００４】
そこで近年、販売商品のイメージキャラクターや商品名等を表示し、販売促進に供する
【０００５】
厚紙やフィルム製の販促用表示部材を商品見本や商品見本展示窓の内側ないし外側に貼り付けることで、他商品との差別化を図っている。
【０００６】
また図１３に示すように、商品見本Ａに表示部材保持具１を設置し、販売促進用表示部材２を表示部材保持具１に差し込む方法などが行われている。（特許文献１）
【０００７】
更に図１４のように、展示背景の色と同系色であっても周囲の色を変えることにより商品見本Ａを目立たせ、着脱も容易であることから、商品見本Ａと一体に商品表示部３が型抜、着色されたものもある。（特許文献２）
【先行技術文献】
【特許文献】
【０００８】
【特許文献１】特開平９−７３５８１号公報
【特許文献２】特開２００６−５９０６４号公報
【考案の概要】
【考案が解決しようとする課題】
【０００９】
しかし、上述の如き従来の販促用表示部材を商品見本や商品見本展示窓の内側ないし外側に貼り付ける方法では、装着は容易ではあるが商品見本交換時には商品見本展示窓に接着されたものを剥離する手間がかかるという問題があった。
【００１０】
また、商品見本Ａに表示部材保持具１を設置し販売促進用表示部材２を差し込む方法では着脱が容易ではあるが、表示部材保持具１の位置が予め決まっている為に販売促進用表示部材２を後から装着するにはその場所と形状が制限されるという問題があった。
【００１１】
加えて、商品見本Ａと一体に商品表示部３が型抜、着色された方法では、屋外に設置された自動販売機は色あせの問題から商品見本は頻繁に交換が行われるが、商品見本交換時には商品表示部ごとの交換となり、さらに他商品との差別化を図るには商品毎に商品表示部の形状に変化を持たせる必要があり、商品見本毎に型抜きを要する為、コスト面に問題があった。
【００１２】
そこで本考案は、上述の従来技術の問題を鑑み、主として自動販売機の商品見本展示部等の装飾用としての表示部材が容易に交換可能で、様々なデザインの表示部材の展示に対応可能な表示部材保持具の提供を目的としてなされたものである。
【課題を解決するための手段】
【００１３】
上述の如き従来の問題を解決し、所期の目的を達成するための請求項１に記載の考案に係る表示部材保持具の特徴は、合成樹脂製の柱状をした本体部を有し、該本体部の底部に磁石が固定されているとともに、該本体部の頂面から底部側に向けてシート状をした前記表示部材が差し込み可能なスリットを備え、該スリット内の対向面に、前記スリット内にシート状の前記表示部材を挿入することによって、該表示部材を弾性的に挟持する挟持部を備えたことにある。
【００１４】
請求項２に記載の発明の特徴は、請求項１の構成に加え、前記差込用スリットは、前記柱状本体上方に開口した二つのスリットが中心で直交する十字型に形成されていることにある。
【００１５】
請求項３に記載の発明の特徴は、請求項１又は２の構成に加え、前記挟持部は、前記差込用スリット内の互いに対向する面に互い違いの配置に前記本体部の柱状の軸方向に向けた複数の突条により構成され、該スリット内に前記表示部材を鎖し込むことによって、該表示部材が前記凸条によって弾性的に湾曲されて保持されるようにしていることにある。
【考案の効果】
【００１６】
本考案に係る表示部材保持具は、合成樹脂製の柱状をした本体部を有し、該本体部の底部に磁石が固定されているとともに、該本体部の頂面から底部側に向けてシート状をした前記表示部材が差し込み可能なスリットを備え、該スリット内の対向面に、前記スリット内にシート状の前記表示部材を挿入することによって、該表示部材を弾性的に挟持する挟持部を備えたことにより、多くの自動販売機の商品見本展示窓の壁面、台座は磁石が接着可能な素材であることからその他の道具を必要とせずに装着可能であり、前記差込用スリットに表示部材を差込み、挟持部により自由に固定することができる。
【００１７】
また、前記柱状本体上方に開口した二つのスリットが中心で直交する十字型に形成されていることにより、様々なデザインの表示部材に対応可能である。
【００１８】
更に、前記挟持部は、前記差込用スリット内の互いに対向する面に互い違いの配置に前記本体部の柱状の軸方向に向けた複数の突条により構成され、該スリット内に前記表示部材を鎖し込むことによって、該表示部材が前記凸条によって弾性的に湾曲されて保持されるようにすることにより、対向する突条に両方向から圧されることで差し込んだ表示部材が固定され、縦方向には容易に抜き取ることが可能であり、表示部材の着脱に手間をとらない。
【図面の簡単な説明】
【００１９】
【図１】本考案に係る表示部材保持具の一例の正面図である。
【図２】同、平面図である。
【図３】同、底面図である。
【図４】同、縦断面図である。
【図５】図１に示した表示部材保持具の使用の一例を示す斜視図である。
【図６】図５に示した表示部材の展開図である。
【図７】図５に示した使用例における表示部材の他の一例を示す展開図である。
【図８】図５に示した使用例における表示部材の更に他の一例を示す展開図である。
【図９】図１に示した表示部材保持具の他の使用の一例を示す斜視図である。
【図１０】図９に示した表示部材の展開図である。
【図１１】図１に示した表示部材保持具の更に他の使用の一例を示す斜視図である。
【図１２】図１１に示した表示部材の展開図である。
【図１３】従来の自動販売機の表示部材の保持方法を示す正面図ある。
【図１４】従来の自動販売機の商品見本と商品表示部を示す正面図ある。
【考案を実施するための最良の形態】
【００２０】
次に、本考案に係る表示部材保持具を図面に示した実施例について説明する。図１〜図４は本考案に係るこの表示部材保持具を示しており、図中符合１０は表示部材保持具である。
【００２１】
この表示部材保持具１０は、やや先細りの円柱状に形成された合成樹脂製の柱状をした本体部１１を有している。この本体部１１の底面には永久磁石１２が、その表面を露出させた状態に埋め込まれた状態に固定されている。
【００２２】
また本体部１１には、頂面から永久磁石１２の稍上の位置に至るスリット１３を有している。このスリット１３は、後述するシート状をした表示部材２０が差し込み可能となっており、二つのスリットが中心で直交する十字型に形成されている。
【００２３】
このスリット１３の内面の互いに対向する面１４ａ，１４ｂには、スリット１３内に差し込まれた前記表示部材を、弾性的に挟持することによって保持する挟持部１５を備えている。
【００２４】
挟持部１５は、スリット１３の互いに対向する内面１４ａ，１４ａのそれぞれから互い違いとなる配置、即ち千鳥配置に突設した複数の突条１５ａ，１５ｂをもって構成されている。この突条１５ａ，１５ｂはそれぞれ本体部１１の柱状の軸方向に向けて互いに平行に向けられており、一方の内面１４ａ（又は１４ｂ）の突条１５ａ，１５ａ（１５ｂ，１５ｂ）の間に他方の内面１４ｂ（又は１４ａ）の突条１５ｂ（１５ａ）入り込むように各内面からの突出高さが設定されており、これによってスリット１３内がジグザグ状に折れ曲がった形状となっている。
【００２５】
そして、このスリット１３内に差し込まれる表示部材２０は、突条１５ａ，１５ｂによってジグザグ状に弾性変形されることにより、その表示部材２０が平面状に戻ろうとする弾性力によってスリット１３内からの抜け出し抵抗が生じ、これによって表示部材２０が表示部材保持具１０に保持されるようになっている。
【００２６】
また、表示部材２０対向する突条に両方向から圧されることで、スリット１３に差し込んだ状態が保持されながらも、本体部１１の軸方向、即ち突条の長さ方向には容易に抜き取ることが可能である。
【００２７】
なお、本体部１１は透明、もしくは半透明の樹脂で形成することが好ましく、透光性を持たせることによって照明に悪影響を及ぼさなくする効果がある。
【００２８】
また、本例では挟持部１５は千鳥配置の複数の突条を用いているが、この他スリット内面に板バネなどの弾性挟持部材を固定したものであってもよい。
【００２９】
次に、上述した表示部材保持具１０を自動販売機の商品見本展示窓内に使用した例について説明する。図５〜図８はその一例を示している。この例の表示部材２０は、図６に示すように細長く形成され、中心に表示部２０ａと、表示部２０ａの左右に支持部２０ｂ，２０ｂを備えている。
【００３０】
図５に示すように商品見本Ａが設置されている台座部３０に表示部材保持具１０を磁石１２により二つ吸着させ、支持部２０ｂ，２０ｂを表示部材保持具１０，１０間に掛け渡すようにスリット１３，１３に差込むことで挟持部１５により表示部材２０が弾性的に挟持される。
【００３１】
また表示部材２０は、図７のように、支持部２０ｂ上部に連結部２０ｃを設けて高さを持たせ、表示部２０ａを商品見本Ａの上部に表示する方法や、図８のように表示部２０ａを商品見本Ａより大きくし、商品見本Ａの背面に置くことで商品見本Ａを個別に目立たせるなどの方法に用いることが出来る。
【００３２】
図９は本考案に係る表示部材保持具１０の他の使用例を示しており、この例では、表示部材２０は、図１０のように表示部２０ａと支持部２０ｂを縦長に作成し中心で直角に折り曲げている。
【００３３】
台座部３０に表示部材保持具１０を磁石１２により吸着させ、直交するスリット１３の直角部に直角に折り曲げた表示部材２０の支持部２０ｂを差し込むことにより、表示部材２０が保持される。
【００３４】
また、もう一方の直角部にも同一形状で異なる商品表示が書かれた表示部材２０を挿入しておくことにより、商品表示の変更が容易であり、立体的な変化を持たせることで商品表示として効果的に用いることができる。
【００３５】
図１１は、本考案に係る表示部材保持具１０の更に他の使用例を示している。この例の表示部材２０は、図１２のように表示部２０ａの上部と、支持部２０ｂの下部が細長い連結部２０ｃによって連結されている。
【００３６】
表示部材保持具１０を、商品見本Ａが設置されている見本設置窓の背面壁３１に、磁石１２により吸着させ、表示部材２０の支持部２０ｂをスリット１３に差し込む。これにより細長い連結部２０ｃにより表示部２０ａが吊り下げ状態となる。表示部２０ａが揺れ動くことにより、目を引くこと効果が期待出来る。
【００３７】
このように表示部材保持具１０の磁石１２が固着可能な場所であれば、様々な場所で利用でき、また表示部材の様々なデザインにも柔軟に対応可能である。
【００３８】
尚、上述した各使用例における何れの表示部材２０にも支持部２０ｂには、スリット１３下の本体部１１の直径に合せた長さの切欠２１が設けられ、スリット１３下の本体部１１と切欠２１が噛み合うことにより、スリット１３から支持部２０ｂが横方向に抜けるのを防ぐようにしているが、これは必ずしも必要ではない。
【００３９】
また、上述の使用例は、自動販売機の商品見本展示部分に使用した場合を示しているが、この他、コンビニエンスストアやその他の商店の商品陳列棚等、磁性材料が使用されている部分における各種のディスプレーに使用することができる。
【符号の説明】
【００４０】
Ａ  商品見本
１０  保持具
１１  本体部
１２  磁石
１３  スリット
１４ａ，１４ｂ  内面  
１５  挟持部
１５ａ，１５ｂ  突条
２０  表示部材
２０ａ  表示部
２０ｂ  支持部
２０ｃ  連結部
２１  切欠
３０  台座部
３１  背面壁
【図１】
0003162084.tif 000003
【図２】
0003162084.tif 000004
【図３】
0003162084.tif 000005
【図４】
0003162084.tif 000006
【図５】
0003162084.tif 000007
【図６】
0003162084.tif 000008
【図７】
0003162084.tif 000009
【図８】
0003162084.tif 000010
【図９】
0003162084.tif 000011
【図１０】
0003162084.tif 000012
【図１１】
0003162084.tif 000013
【図１２】
0003162084.tif 000014
【図１３】
0003162084.tif 000015
【図１４】
0003162084.tif 000016